(57)【要約】【課題】操作性の向上を図る。【解決手段】水栓装置Ａは、給水機能を有する水栓本体１０と、水栓本体１０に左右方向の軸線Ｐを中心として揺動可能に支持された給水操作用の流路切換用ハンドル３５とを備え、流路切換用ハンドル３５は、水栓本体１０と左右に隣り合うように、且つ軸線Ｐと同軸状に配された連結部３６と、連結部３６から延出し、可動域が左右方向において水栓本体１０の全幅の範囲Ｗ内だけである操作部４４とを有している。【選択図】図４
2020026613.tif 000002
【特許請求の範囲】
【請求項１】
給水機能を有する水栓本体と、
前記水栓本体に左右方向の軸線を中心として揺動可能に支持された給水操作用のハンドルとを備え、
前記ハンドルは、
前記水栓本体と左右に隣り合うように、且つ前記軸線と同軸状に配された連結部と、
前記連結部から延出し、可動域が左右方向において前記水栓本体の全幅の範囲内だけである操作部とを有していることを特徴とする水栓装置。
【請求項２】
前記操作部の可動域が、前記水栓本体の前後方向中央より手前側のみであることを特徴とする請求項１記載の水栓装置。
【請求項３】
前記ハンドルが、給水形態を止水、シャワー及びカランのいずれかに切り換えるための流路切換操作を行うものであることを特徴とする請求項１又は請求項２記載の水栓装置。
【発明の詳細な説明】
【技術分野】
【０００１】
本発明は、水栓装置に関する。
【背景技術】
【０００２】
特許文献１には、給水機能を有する水栓本体の右側部に、切換ハンドルを設け、水栓本体の左側部に温度調節ハンドルを設けた水栓装置が開示されている。切換ハンドルを操作すると、給水形態を止水、シャワー及びカランのいずれかに切り換えることができる。温度調節ハンドルを操作すると、給水温度を調節することができる。
【先行技術文献】
【特許文献】
【０００３】
【特許文献１】特開２０１０−１８９８４２号公報
【発明の概要】
【発明が解決しようとする課題】
【０００４】
上記の水栓装置は、２つのハンドルを水栓本体の側面部に配置している。そのため、温度調節と給水形態の切換のいずれの操作を行う場合にも、ハンドルを握るためには、手を水栓本体の左右いずれかの側面側へ大きく伸ばす必要があり、操作性が良くないという問題があった。
【０００５】
本発明は、上記従来の実情に鑑みてなされたものであって、操作性の向上を図ることを解決すべき課題としている。
【課題を解決するための手段】
【０００６】
本発明の水栓装置は、
給水機能を有する水栓本体と、
前記水栓本体に左右方向の軸線を中心として揺動可能に支持された給水操作用のハンドルとを備え、
前記ハンドルは、
前記水栓本体と左右に隣り合うように、且つ前記軸線と同軸状に配された連結部と、
前記連結部から延出し、可動域が左右方向において前記水栓本体の全幅の範囲内だけである操作部とを有していることを特徴とする。
【発明の効果】
【０００７】
ハンドルの操作部の可動域が、水栓本体の左右方向における全幅の範囲内のみとなっているので、操作部を握る際に手を大きく伸ばす必要がない。したがって、本発明の水栓装置は、給水操作を行う際の操作性に優れている。
【０００８】
尚、本発明において、給水機能は、給水温度を調節するための温度調節機能と、給水形態を止水、シャワー及びカランのいずれかに切り換えるための流路切換機能を含む。また、給水操作は、給水温度を調節するための温度調節操作と、給水形態を止水、シャワー及びカランのいずれかに切り換えるための流路切換操作のうち少なくとも一方の操作を意味する。
【図面の簡単な説明】
【０００９】
【図１】実施例１の水栓装置の斜視図
【図２】水栓装置の分解斜視図
【図３】給水ユニットに流路切換用ハンドルを取り付けた状態をあらわす斜視図
【図４】流路切換用ハンドルが止水位置にある状態をあらわす平面図
【図５】流路切換操作を行ったときの流路切換用ハンドルの揺動範囲をあらわす側面図
【発明を実施するための形態】
【００１０】
本発明の水栓装置は、前記操作部の可動域が、前記水栓本体の前後方向中央より手前側のみであってもよい。この構成によれば、操作部を握る際に、手を水栓本体の奥側まで伸ばす必要がないので、操作性に優れている。
【００１１】
本発明の水栓装置は、前記ハンドルが、給水形態を止水、シャワー及びカランのいずれかに切り換えるための流路切換操作を行うものであってもよい。入浴中は、給水形態を止水、シャワー及びカランのいずれかに切り換える操作を行う頻度が高いので、操作性の向上効果が高い。
【００１２】
＜実施例１＞
以下、本発明を具体化した実施例１を図１〜図５を参照して説明する。尚、以下の説明において、前後の方向については、図４における下方、及び図５における左方を前方と定義する。上下の方向については、図１〜３，５にあらわれる向きを、そのまま上方、下方と定義する。左右の方向については、図１〜４にあらわれる向きを、そのまま左方、右方と定義する。
【００１３】
本実施例１の水栓装置Ａは、図２に示すように、水栓本体１０と、温度調節用ハンドル３０と、流路切換用ハンドル３５（請求項に記載のハンドル）とを備えて構成されている。水栓装置Ａは浴室の壁面等に取り付けられる。水栓本体１０は、給水ユニット１１とハウジング１５とを組み付けて構成され、全体として幅寸法（左右方向）に比べて高さ寸法の小さい偏平なブロック状をなす。
【００１４】
給水ユニット１１は、給水用接続部１３と給湯用接続部１４を有するボディ１２と、ボディ１２内における左側領域内に収容された温調用バルブユニット（図示省略）と、ボディ１２内に右側領域内に収容された流路切換用バルブユニット（図示省略）とを備えた周知構造のものである。給水ユニット１１は、給水温度を調節するための温度調節機能と、給水形態を止水、シャワー及びカラン（水栓装置Ａから洗い場や浴槽へ給水するための下向きの吐水口）のいずれかに切り換えるための流路切換機能とを含む給水機能を備えている。
【００１５】
図２，５に示すように、ボディ１２の左右方向中央部（温調用バルブユニットと流路切換用バルブユニットの間）には、ボディ１２の後面から下向きに屈曲したシャワー用接続部２６が設けられている。シャワー用接続部２６には、可撓性を有するシャワーホース５０の基端部が接続されるようになっている。ボディ１２の左右方向中央部における下面には、水又は湯を下向きに吐出させるためのカラン用吐水口２７が設けられている。
【００１６】
ハウジング１５は、アッパカバー１６とロアカバー１７とリヤカバー１８とを合体させたものである。ハウジング１５内には給水ユニット１１が収容されている。図４に示すように、アッパカバー１６の上面のうち前後方向中央Ｃより前方（手前側）の位置には、左右方向に細長いアクセントライン１９が設けられている。
【００１７】
図１，４に示すように、アッパカバー１６の上面の左端部には、給水温度を調節する際の操作性を高める手段として円形又は円筒形の温度調節用標示２０が配されている。温度調節用標示２０は、温度標示２１と前後一対の温調操作用標示２２とから構成されている。温度標示２１は、アクセントライン１９の左端部の底面に、給水温度を示す４０℃の文字を刻印したものであり、アクセントライン１９の上方から目視可能となっている。温度調節用ハンドル３０（詳細は後述する）の押しボタン３１が温度標示２１と同じ位置にあるときに、給水温度が４０℃に設定される。押しボタン３１は、高温側への温度調節用ハンドル３０の回動操作の規制を解除するための突起状の部材である。
【００１８】
一対の温調操作用標示２２は、給水温度を調節する際の温度調節用ハンドル３０の操作方向を示すものであり、４０℃の温度標示２１を挟んで奥側と手前側とに分かれて配置されている。温度を高くするときには温度調節用ハンドル３０を奥側へ回動させるので、温度標示２１の奥側（後方）には「Ｈ」の文字が表示されている。温度を低くするときには温度調節用ハンドル３０を手前側へ回動させるので、温度標示２１の手前側（前方）には「Ｃ」の文字が表示されている。
【００１９】
アッパカバー１６の上面の右端部には、給水形態を止水、シャワー及びカランのいずれかに切り換える際の操作性を高める手段として、流路切換用標示２３が配されている。流路切換用標示２３は、止水標示２４と、前後一対の切換操作用標示２５とから構成されている。止水標示２４は、アクセントライン１９の右端部によって構成されている。一対の切換操作用標示２５は、シャワーとカランを切り換える際の流路切換用ハンドル３５（詳細は後述する）の操作方向を示すものであり、止水標示２４を挟んで奥側と手前側とに分かれて配置されている。
【００２０】
シャワーから給水する際には、流路切換用ハンドル３５を上方へ揺動させるのに伴って板状支持部３７が奥側へ回動するので、止水標示２４の奥側（後方）には、シャワーを示す図柄が表示されている。カランから給水する際には、流路切換用ハンドル３５を下方へ揺動させるのに伴って板状支持部３７が手前側へ回動するので、止水標示２４の手前側（前方）には、カランを示す図柄が表示されている。
【００２１】
温度調節用ハンドル３０は、給水温度を調節するための操作（給水操作）を行う手段であり、図１〜４に示すように、給水ユニット１１（水栓本体１０）の左端部に取り付けられている。温度調節用ハンドル３０は、温調用バルブユニットの弁体（図示省略）に一体回転し得るように取り付けられている。温度調節用ハンドル３０は、給水ユニット１１と同心の左右方向の軸線Ｐを中心として回動操作が可能となっている。
【００２２】
温度調節用ハンドル３０は、水栓本体１０（ハウジング１５）の左側面から左方へ突出している。換言すると、温度調節用ハンドル３０は、左右方向において水栓本体１０の全幅領域の外部に配置されている。温度調節用ハンドル３０の外周には、高温側への回動を規制するための突起状の押しボタン３１と、温度調節用ハンドル３０を回動するときに指を引っ掛けるための突起状の指掛け部３２とが設けられている。
【００２３】
流路切換用ハンドル３５は、給水形態を止水、シャワー及びカランのいずれかに切り換えるための流路切換操作（給水操作）を行う手段であり、図１，３，４に示すように、水栓本体１０（給水ユニット１１）に取り付けられている。流路切換用ハンドル３５は、全体として左右方向に延びた形状をなす。流路切換用ハンドル３５は、流路切換用ハンドル３５の右端部に位置する連結部３６と、流路切換用ハンドル３５の左端部に位置する嵌合部４０と、操作部４４とを有している。
【００２４】
図２に示すように、連結部３６は、軸線Ｐと同心の円形をなす板状支持部３７と、板状支持部３７から左方へ同軸状に突出した連結機能部３８と、板状支持部３７の外周から径方向外方へ延出した右側アーム部３９とを備えて構成されている。嵌合部４０は、軸線Ｐと同心の円形をなすリング状支持部４１と、リング状支持部４１の外周から径方向外方へ延出した左側アーム部４２とを備えて構成されている。操作部４４は、全体として左右方向に長い形状をなし、操作部４４の左右両端部は、左側アーム部４２の延出端と右側アーム部３９の延出端とに連なっている。
【００２５】
流路切換用ハンドル３５を水栓本体１０（給水ユニット１１）に取り付けた状態では、連結機能部３８が、水栓本体１０の内部に収容され、流路切換用バルブユニットの弁体（図示省略）に一体回転し得るように取り付けられている。板状支持部３７は、水栓本体１０（ハウジング１５）の右側面に重なるように配置されている。換言すると、板状支持部３７は、水栓本体１０と左右方向において隣接して並ぶように配置されている。水栓本体１０の右側面からの板状支持部３７の突出寸法は、水栓本体１０の左側面からの温度調節用ハンドル３０の突出寸法に比べて充分に小さい。
【００２６】
リング状支持部４１は、給水ユニット１１のボディ１２の左端部に回転可能に外嵌されている。したがって、流路切換用ハンドル３５は、その左右両端部（連結部３６と嵌合部４０）において水栓本体１０に支持され、給水ユニット１１及び温度調節用ハンドル３０と同心の左右方向の軸線Ｐを支点として上下方向へ揺動し得るようになっている。
【００２７】
図４に示すように、操作部４４は、軸線Ｐに対し偏心した位置に配されている。操作部４４は、左右方向において水栓本体１０の全幅に亘る範囲Ｗの長さを有している。操作部４４はアクセントライン１９とほぼ平行をなしている。詳細には、操作部４４は、左右方向両端部から左右方向中央部に向かって水栓本体１０（軸線Ｐ）からの距離が大きくなるような形態で湾曲している。
【００２８】
図５に実線で示すように、止水状態では、操作部４４が、流路切換用ハンドル３５の揺動の支点となる給水ユニット１１の軸線Ｐとほぼ同じ高さで、軸線Ｐよりも前方の位置（アッパカバー１６の前端より前方）に配置される。流路切換用ハンドル３５の揺動過程において、操作部４４とアクセントライン１９の前後方向の間隔は、止水位置において最大である。
【００２９】
シャワーから給水する際には、図５に一点鎖線で示すように、流路切換用ハンドル３５の操作部４４を上方へ揺動させる。上方への揺動角度が大きくなるほど、シャワーからの給水量が増大していく。流路切換用ハンドル３５の揺動角度が大きくなるのに伴い、平面視において操作部４４がアクセントライン１９に対し前方から接近する。したがって、アクセントライン１９に対する操作部４４の位置関係を目視することで、シャワーの流量を把握し易くなっている。
【００３０】
また、カランから給水する際には、図５に二点鎖線で示すように、流路切換用ハンドル３５の操作部４４を下方へ揺動させる。下方への揺動角度が大きくなるほど、カランからの給水量が増大していく。流路切換用ハンドル３５をシャワー側（上方）へ最大角度まで揺動させた位置から、カラン側（下方）へ最大角度まで揺動させた位置に至る過程において、流路切換用ハンドル３５の前後方向の可動域は、図５に示すように、水栓本体１０の前後方向中央Ｃよりも前方（手前側）の領域のみである。また、流路切換用ハンドル３５は左右方向の軸線Ｐを中心に揺動するので、左右方向における流路切換用ハンドル３５の可動域は、水栓本体１０の全幅の範囲Ｗ内のみである。
【００３１】
本実施例１の水栓装置Ａは、給水機能を有する水栓本体１０と、水栓本体１０に左右方向の軸線Ｐを中心として揺動可能に支持された給水操作用の流路切換用ハンドル３５とを備えている。流路切換用ハンドル３５は連結部３６と操作部４４を備えている。連結部３６は、水栓本体１０と左右に隣り合うように、且つ軸線Ｐと同軸状に配されている。操作部４４は、連結部３６を構成する板状支持部３７の外周から軸線Ｐと略平行に延出した形態である。操作部４４の可動域は、左右方向において水栓本体１０の全幅の範囲Ｗ内だけに限定されているので、操作部４４を握る際に手を左右方向へ大きく伸ばす必要がない。したがって、本実施例１の水栓装置Ａは、給水操作を行う際の操作性に優れている。
【００３２】
尚、本実施例１において、給水機能は、給水温度を調節するための温度調節機能と、給水形態を止水、シャワー及びカランのいずれかに切り換えるための流路切換機能を含んでいる。また、給水操作は、給水形態を止水、シャワー及びカランのいずれかに切り換えるための流路切換操作を意味するが、別の実施形態としては、給水操作は、給水温度を調節するための温度調節操作であってもよい。
【００３３】
また、操作部４４の可動域は、水栓本体１０の前後方向中央Ｃより手前側のみに限定されている。この構成によれば、操作部４４を握って流路切換用ハンドル３５を揺動操作する際に、手を水栓本体１０の奥側（後端側）まで伸ばす必要がないので、操作性に優れている。
【００３４】
また、入浴中は、温度調節用ハンドル３０によって温度の調節を行う頻度より、流路切換用ハンドル３５によって給水形態を止水、シャワー及びカランのいずれかに切り換える操作を行う頻度の方が高い。この点に着目し、操作部４４の可動域を左右方向において水栓本体１０の全幅の範囲Ｗ内だけに限定する構成を、温度調節用ハンドル３０にではなく、流路切換用ハンドル３５に適用した。これにより、操作性の向上効果が高められている。
【００３５】
＜他の実施例＞
本発明は上記記述及び図面によって説明した実施例に限定されるものではなく、例えば次のような実施例も本発明の技術的範囲に含まれる。
（１）上記実施例では、操作部の可動域が、水栓本体の前後方向中央より手前側のみであるが、操作部の可動域は、水栓本体の前後方向中央より奥側を含んでもよい。
（２）上記実施例では、ハンドルが流路切換操作を行うためのものであるが、ハンドルは、温度調節を行うためのものであってもよい。
（３）上記実施例では、可動域を水栓本体の全幅の範囲内に限定したハンドルが、２つのハンドルのうち一方（流路切換操作用）のハンドルだけであるが、２つのハンドルの両方ともに、可動域を水栓本体の全幅の範囲内に限定されていてもよい。
（４）上記実施例では、ハンドルの操作部が、水栓本体の左右方向全領域に亘る長さを有するが、操作部は、水栓本体の左右方向の寸法より短い長さであってもよい。
（５）上記実施例では、水栓本体が給水ユニットとハウジングとから構成されているが、水栓本体は給水ユニットだけで構成されたものであってもよい。
【符号の説明】
【００３６】
Ａ…水栓装置
Ｐ…軸線
Ｗ…水栓本体の全幅の範囲
１０…水栓本体
３５…流路切換用ハンドル（ハンドル）
３６…連結部
４４…操作部
【図１】
2020026613.tif 000003
【図２】
2020026613.tif 000004
【図３】
2020026613.tif 000005
【図４】
2020026613.tif 000006
【図５】
2020026613.tif 000007